(57)【要約】【課題】  顧客が所望の映画を所望の時間に鑑賞することができるようにする。【解決手段】  開示される映画配信システムは、映画を鑑賞するためのディスプレイ６及び音響装置７が設けられた複数の個室と、複数の映画データの中から要求された映画データを選択して配信する管理サーバ２及び映画サーバ３と、複数の個室にそれぞれ設けられ、操作部が操作されて選択された映画データの配信を映画サーバ３に要求し、配信された映画データを対応するディスプレイ６及び音響装置７に再生させる複数の個室クライアント４とを備えている。【選択図】  図１
2006211184.tif 000002
【特許請求の範囲】
【請求項１】
映画を鑑賞するための映画表示装置が設けられた複数の個室と、
複数の映画データの中から要求された映画データを選択して配信する映画配信サーバと、
前記複数の個室にそれぞれ設けられ、操作部が操作されて選択された映画データの配信を前記映画配信サーバに要求し、配信された前記映画データを対応する前記映画表示装置に再生させる複数の個室クライアントと
を備えていることを特徴とする映画配信システム。
【請求項２】
前記個室の予約が可能な予約端末を備え、前記映画配信サーバは、前記予約端末との通信により前記個室の予約手続を行うことを特徴とする請求項１記載の映画配信システム。
【請求項３】
前記予約端末は、電子メールの受信が可能な携帯端末であり、前記映画配信サーバは、前記複数の個室のいずれかが空室となった場合には、その旨を示す電子メールを予約を行った利用者が所持する前記携帯端末に送信することを特徴とする請求項２に記載の映画配信システム。
【請求項４】
コンピュータに請求項１乃至請求項３のいずれかに記載の機能を実現させるための映画配信プログラム。
【発明の詳細な説明】
【技術分野】
【０００１】
本発明は、映画の映画データを配信する映画配信システム及び映画配信プログラムに関する。
【背景技術】
【０００２】
従来の映画館では、１つのスクリーンに対し、多数の座席を有し、映画館側で予め決めたスケジュールに沿って映画を上映している。以下、この技術を第１の従来例と呼ぶ。なお、先行技術調査を実施した限りでは、上述した第１の従来例の内容が具体的に記載された文献に関する情報は得られなかった。また、最近では、マルチ型映画館環境において、デジタルシネマを配信するものもある（例えば、特許文献１参照。）。以下、この技術を第２の従来例と呼ぶ。
【特許文献１】特開２００４−２２２２４５号公報
【発明の開示】
【発明が解決しようとする課題】
【０００３】
上記した第１及び第２の従来例における映画館では、顧客は、映画館側によって予め決められたスケジュールでしか所望の映画を鑑賞することができなかった。従って、所望の映画が上映中に当該映画館に到着した顧客は、当該映画の上映が終了するまで時間をつぶしたり、途中から鑑賞することを承知で入館しなければならないという問題があった。
【０００４】
本発明は、上述した事情に鑑みてなされたもので、顧客が所望の映画を所望の時間に鑑賞することができる映画配信システム及び映画配信プログラムを提供することを目的としている。
【課題を解決するための手段】
【０００５】
上記課題を解決するために、請求項１記載の発明に係る映画配信システムは、映画を鑑賞するための映画表示装置が設けられた複数の個室と、複数の映画データの中から要求された映画データを選択して配信する映画配信サーバと、前記複数の個室にそれぞれ設けられ、操作部が操作されて選択された映画データの配信を前記映画配信サーバに要求し、配信された前記映画データを対応する前記映画表示装置に再生させる複数の個室クライアントとを備えていることを特徴としている。
【０００６】
また、請求項２記載の発明は、請求項１記載の映画配信システムに係り、前記個室の予約が可能な予約端末を備え、前記映画配信サーバは、前記予約端末との通信により前記個室の予約手続を行うことを特徴としている。
【０００７】
また、請求項３記載の発明は、請求項２記載の映画配信システムに係り、前記予約端末は、電子メールの受信が可能な携帯端末であり、前記映画配信サーバは、前記複数の個室のいずれかが空室となった場合には、その旨を示す電子メールを予約を行った利用者が所持する前記携帯端末に送信することを特徴としている。
【０００８】
また、請求項４記載の発明に係る映画配信プログラムは、コンピュータに請求項１乃至３のいずれかに記載の機能を実現させることを特徴としている。
【発明の効果】
【０００９】
本発明によれば、映画配信システムは、映画を鑑賞するための映画表示装置が設けられた複数の個室と、複数の映画データの中から要求された映画データを選択して配信する映画配信サーバと、前記複数の個室にそれぞれ設けられ、操作部が操作されて選択された映画データの配信を前記映画配信サーバに要求し、配信された前記映画データを対応する前記映画表示装置に再生させる複数の個室クライアントとを備えている。従って、顧客は、所望の映画を所望の時間に鑑賞することができる。
【発明を実施するための最良の形態】
【００１０】
以下、本発明に係る実施の形態に基づき、図面を参照して本発明の映画配信システムを詳細に説明する。
実施の形態１．
図１は、本発明の実施の形態１に係る映画配信システムのブロック構成を示し、図２は、この例の映画配信システムが設置される映画上映施設の外観構成を示している。この例の映画配信システムは、ネットワーク１と、管理サーバ２と、映画サーバ３と、複数の個室クライアント４と、複数の映画データ保存装置５と、複数のディスプレイ６と、複数の音響装置７と、複数の基地局８とから概略構成されている。
【００１１】
ネットワーク１は、例えば、構内ネットワーク（ＬＡＮ： Local Area Network）、広域ネットワーク（ＷＡＮ： Wide Area Network）、インターネット、移動通信網、固定通信網等からなる。ネットワーク１は、管理サーバ２と、映画サーバ３と、複数の個室クライアント４と、複数の基地局８とは、例えば、ツイスト・ペアケーブル、同軸ケーブルや光ファイバケーブル等により有線接続され、又は無線接続されている。
【００１２】
管理サーバ２は、例えば、この映画配信システムを運営する映画上映施設の受付１１等に設置されている。管理サーバ２は、制御部と、記憶部と、表示部と、操作部と、通信制御部とを有するコンピュータ等の情報処理装置によって構成されている。制御部は、ＣＰＵ（中央処理装置）等からなり、記憶部に記憶されている個室割当プログラム等の各種プログラムに基づいて、各種の処理等を実行し、管理サーバ２の全体を制御する。
【００１３】
即ち、例えば、個室割当プログラムが記憶部から読み出されると、制御部に読み込まれ、制御部の動作を制御する。制御部は、個室割当プログラムが起動されると、個室割当プログラムの制御により、後述する個室割当処理を実行するのである。個室割当処理は、この映画上映施設に設置されている複数の個室１２（図２の例では、５室）の空室の有無を確認し、満室の場合には予約手続をして空室が発生した場合にはその旨を予約者の携帯端末１０にメールで送信し、満室でない場合には入室手続をした後、利用者（顧客）が映画の鑑賞終了後に映画鑑賞料等の精算を行う処理である。
【００１４】
記憶部は、ＲＡＭやＲＯＭ、あるいはフラッシュメモリ等の半導体メモリ、ＦＤ（フロッピー（登録商標）・ディスク）が装着されるＦＤドライブ、ＨＤ（ハード・ディスク）が装着されるＨＤドライブ、ＭＯ（光磁気）ディスクが装着されるＭＯディスクドライブ、あるいはＣＤ（コンパクト・ディスク）−ＲＯＭ、ＣＤ−Ｒ（Recordable）、ＣＤ−ＲＷ（ReWritable）やＤＶＤ−ＲＯＭ、ＤＶＤ−Ｒ、ＤＶＤ−ＲＷ等が装着されるＣＤ／ＤＶＤドライブ等からなる。記憶部には、上記個室割当プログラムの他、個室の利用状況が記憶された利用状況テーブル、予約者の氏名や所持している携帯端末１０のメールアドレス等が記憶された予約テーブルその他の各種データが記憶される。
【００１５】
表示部は、ＣＲＴディスプレイ、液晶ディスプレイ、有機エレクトロルミネセンス（ＥＬ：electroluminescence）ディスプレイ、あるいはプラズマディスプレイなどからなる。操作部は、キーボードやマウス等からなる。通信制御部は、ネットワーク１を介して映画サーバ３等とデータ通信を行う。
【００１６】
映画サーバ３は、例えば、管理サーバ２と同様、映画上映施設の受付１１等に設置されている。また、映画サーバ３は、管理サーバ２と同様、制御部と、記憶部と、表示部と、操作部と、通信制御部とを有するコンピュータ等の情報処理装置によって構成されているが、制御部が実行する処理及び記憶部に記憶されるプログラムやデータが異なっている。
【００１７】
即ち、制御部は、記憶部に記憶されている映画データ検索配信プログラム、映画リスト検索配信プログラム等に基づいて、映画データ検索配信処理、映画リスト検索配信処理等を実行する。映画データ検索配信処理は、個室クライアント４からの要求に基づいて記憶部に記憶されている映画データを検索して当該個室クライアント４に配信する処理である。映画リスト検索配信処理は、個室クライアント４からの要求に基づいて記憶部に記憶されている映画リストを検索して当該個室クライアント４に配信する処理である。記憶部には、上記映画データ検索配信プログラム、上記映画リスト検索配信プログラム等の各種プログラムの他、映画データ、映画リスト、その他の各種のデータが記憶される。ここで、映画データは、映画の各場面に対応した音響データをも含むものとする。
【００１８】
このうち、映画データに関しては、例えば、日本やアメリカなど制作地、タイトルのアルファベット、アクション、コメディー、ホラー、西部劇、時代劇、ミュージカル、ドキュメンタリー、アニメーション等のジャンル、封切りされた時期、主演俳優名、獲得した賞、上映時間等により検索可能にデータベース化されているものとする。
【００１９】
個室クライアント４は、例えば、映画上映施設内に、図２に示すように、所定間隔で設置された複数の個室１２（図２の例では、５室）の内部にそれぞれ設置されている。また、個室クライアント４は、管理サーバ２等と同様、制御部と、記憶部と、表示部と、操作部と、通信制御部とを有するコンピュータ等の情報処理装置によって構成されているが、制御部が実行する処理及び記憶部に記憶されるプログラムやデータが異なっている。
【００２０】
即ち、制御部は、記憶部に記憶されている映画リスト表示プログラム、映画データ要求プログラム、映画データ再生プログラム等に基づいて、映画リスト表示処理、映画データ要求処理、映画データ再生処理等を実行する。映画リスト表示処理は、映画サーバ３に対し個室１２の利用者等によって選択された映画リストの配信を要求し、配信された映画リストをディスプレイ６に表示する処理である。映画データ要求処理は、映画サーバ３に対し個室１２の利用者等によって選択された映画データの配信を要求し、配信された映画データを映画データ保存装置５に保存する処理である。映画データ再生処理は、映画データ保存装置５に保存された映画データを再生し、ディスプレイ６に表示する処理である。なお、個室クライアント４は、リモコンで操作可能に構成されている。
【００２１】
映画データ保存装置５は、例えば、ＨＤが装着されるＨＤドライブ、ＣＤ−ＲＷやＤＶＤ−ＲＷ等が装着されるＣＤ／ＤＶＤドライブ等を有し、例えば、各個室１２の内部又は外部に設けられている。映画データ保存装置５は、個室クライアント４から供給された映画データを一時記憶する。ディスプレイ６は、例えば、ＣＲＴディスプレイ、液晶ディスプレイ、有機ＥＬディスプレイ、プラズマディスプレイ、フロントプロジェクタ、リアプロジェクタ等を有し、各個室１２の内部に設けられ、当該個室１２にいる利用者が映画を鑑賞するのに適した大画面の表示部を備えている。なお、ディスプレイ６がフロントプロジェクタの場合には、フロントプロジェクタから投射された映像を表示する大きなサイズのスクリーンが各個室１２の内部に設けられている。
【００２２】
音響装置７は、アンプ、スピーカ、音量・音質調整装置等を有し、上記ディスプレイ６に表示される映画に付与されている音響が再生され、放射される。各個室１２内部には、上記した個室クライアント４、ディスプレイ６、音響装置７、場合により映画データ保存装置５が設けられているとともに、利用者がすわるための数台の椅子が設けられている。また、各個室１２の側面には、それぞれドア１３が設けられている。
【００２３】
基地局８は、例えば、所定間隔で屋外又は屋内に複数設置されている。基地局８は、ネットワーク１を介して管理サーバ２から送信される、例えば、空室が発生したことを示すメール等の通信信号を受信して、アンテナ９で電波に変換し、携帯端末１０に送信する。また、基地局８は、携帯端末１０から送信される電波をアンテナ９で受信して通信信号に変換し、ネットワーク１を介して管理サーバ２等に伝送する。
【００２４】
携帯端末１０は、例えば、携帯電話又は簡易型携帯電話（ＰＨＳ：Personal Handy-phone System）などからなる。携帯端末１０は、制御部と、記憶部と、表示部と、操作部と、送受信部と、送受話部と、報知部等から構成されている。制御部は、ＣＰＵ等からなり、記憶部に記憶されている各種プログラムに基づいて、メール受信処理等を実行し、この携帯端末１０の各部を制御する。メール受信処理は、管理サーバ２からネットワーク１及び基地局８を介して送信されたメールを受信して、表示部に表示する処理である。また、制御部は、送受信部から供給される制御信号を制御部内部の処理に用いるとともに、送受信部から供給される音声信号を処理して送受話部に供給し、送受話部から供給される音声信号を処理して送受信部に供給する。
【００２５】
携帯端末１０の記憶部は、ＲＡＭやＲＯＭ、あるいはフラッシュメモリ等の半導体メモリなどからなる。記憶部には、制御部が実行する各種プログラムの他、各種のデータが記憶される。表示部は、液晶ディスプレイ、有機ＥＬディスプレイ、あるいはプラズマディスプレイなどからなる。操作部は、携帯端末１０の電源をオン／オフするための電源ボタン、相手先の電話番号等の入力に用いられるテンキー、着信があった場合に携帯端末１０を通話状態とするための通話ボタンなどから構成されている。送受信部は、基地局８からアンテナ９を介して送信される無線電話信号を受信して音声信号、通信データ、あるいは制御信号を復調して制御部に供給するとともに、制御部から供給される音声信号、通信データ、あるいは制御信号を無線電話信号に変調して上記基地局８に送信する。
【００２６】
携帯端末１０の送受話部は、スピーカ及びマイクからなり、制御部から供給される音声信号に基づいてスピーカから音声を放射するとともに、マイクによって音声から変換された音声信号を制御部に供給することにより、相手先との通話等に用いられる。報知部は、所定の周期や所定の色で点滅する発光ダイオード、単一音を発生させるサウンダ、携帯端末１０の筐体を振動させるバイブレータなどからなり、相手先からの着信等をこの携帯端末１０の所持者に報知する。
【００２７】
次に、上記構成の映画配信システムの動作について、図３及び図４に示すフローチャートを参照して説明する。まず、管理サーバ２及び当該映画上映施設の利用者が所持する携帯端末１０の処理について図３に示すフローチャートを参照して説明する。携帯端末１０を所持した利用者は、当該映画上映施設に赴き、受付１１において、個室１２を利用して映画を鑑賞したい旨申し出る。
【００２８】
これにより、当該映画上映施設の受付係は、利用者に対し予約済である否かを問い合わせ、予約していないと回答した場合には、管理サーバ２の表示部に表示されているメインメニュー画面を構成する利用状況確認ボタンを操作する。これにより、管理サーバ２の制御部は、予約済みでないと判断して（ステップＳＡ１の「Ｎ」）、ステップＳＡ２へ進む。
【００２９】
ステップＳＡ２では、管理サーバ２の制御部は、記憶部に記憶されている利用状況テーブルを参照して、個室１２が満室であるか否かを判断する。個室１２が満室である場合（ステップＳＡ２の「Ｙ」）には、管理サーバ２の制御部は、表示部に満室である旨を表示する。
【００３０】
受付係は、管理サーバ２の表示部に満室である旨が表示されると、当該利用者に現在個室が満室である旨を告げるとともに、上記利用者に予約する意思があるか否かを問い合わせる。当該利用者が予約する意思を表明した場合には、受付係は、当該利用者に氏名、携帯端末１０のメールアドレス、予約時刻等を問い合わせ、管理サーバ２の操作部を操作して、表示部に個室予約画面を表示させ、その個室予約画面を構成する予約者名、メールアドレス、予約時刻等を入力するためのテキストボックスに、それぞれ上記利用者の氏名、上記利用者が所持する携帯端末１０のメールアドレス、上記利用者が希望する予約時刻等を入力する。これにより、管理サーバ２の制御部は、入力された氏名、メールアドレス、予約時刻及び当該予約を識別するための予約番号等を記憶部の予約テーブルに記憶する（ステップＳＡ３）。
【００３１】
一方、個室１２が満室でない場合（ステップＳＡ２の「Ｎ」）」には、管理サーバ２の制御部は、表示部に入室手続画面を表示させる。また、当該映画上映施設の受付係は、利用者が予約済みであると回答した場合には、管理サーバ２の表示部に表示されているメインメニュー画面を構成する入室手続ボタンを操作する。これにより、管理サーバ２の制御部は、予約済みであると判断して（ステップＳＡ１の「Ｙ」）、表示部に入室手続画面を表示させる。
【００３２】
これにより、受付係は、管理サーバ２の操作部を操作して、入室手続画面を構成する利用者名、利用する個室１２の部屋番号、利用開始時刻、予定利用時間等を入力するためのテキストボックスに、それぞれ上記利用者の氏名、上記利用する個室１２の部屋番号、上記利用開始時刻、予定利用時間等を入力する。これにより、管理サーバ２の制御部は、記憶部に記憶されている利用状況テーブルのこれから利用する個室１２の部屋番号に割り当てられた記憶領域に、上記利用者の氏名、上記利用する個室１２の部屋番号、上記利用開始時刻、予定利用時間等を記憶する（ステップＳＡ４）。
【００３３】
この時、予め予約手続をし、後述するステップＳＡ６〜ＳＡ８の処理により、自己が所持する携帯端末１０が上記メールを受信した利用者が来店した場合には、受付係は、メールに記載した予約番号等を告げてもらい、予約者本人であることを確認した後、上記した利用者の氏名等の入力を行う。
【００３４】
次に、管理サーバ２の制御部は、いずれかの個室１２において空室が発生したか否かを判断する（ステップＳＡ５）。ステップＳＡ５の判断結果が「ＮＯ」の場合には、管理サーバ２の制御部は、同判断を繰り返す。このステップＳＡ５の判断は、例えば、ある個室１２において、当該個室１２の利用者が個室クライアント４の操作部の、当該個室１２の利用終了を意思表示するためのキーを操作することにより、上記キーに応じた制御信号がネットワーク１を介して入力され、それを検出したこと、当該個室１２のドア１３の鍵が利用者によりロックされることにより、このロックに応じた制御信号がネットワーク１を介して入力され、それを検出したことなど、により行う。なお、これらの制御信号を検出した時刻が利用終了時刻となる。
【００３５】
そして、上記した制御信号の検出等により、いずれかの個室１２において空室が発生したと判断した場合には、管理サーバ２の制御部は、個室１２に空室が発生したことを示すメールを作成するとともに、記憶部に記憶されている予約テーブルを参照して、現時点で最も優先順位の高い予約者又は予約時刻が現時点に最も近い予約者のメールアドレスを読み出し、当該メールアドレスが付与された携帯端末１０に送信する（ステップＳＡ６）。ここで、最も優先順位の高い予約者とは、予約時刻を具体的には指定していないが、複数の予約者の中で最も待機時間が長いものをいう。
【００３６】
上記メールは、ネットワーク１及び直近の基地局８を介して当該携帯端末１０に送信される。各携帯端末１０は、電源が投入されている場合には、メールが受信するか否かを判断しており（ステップＳＡ７）、メールを受信すると、当該メールを表示部に表示した（ステップＳＡ８）後、一連の処理を終了する。
【００３７】
ある個室１２を利用していた利用者が受付１１に来ると、受付係は、管理サーバ２の操作部を操作して、管理サーバ２の表示部に表示されているメインメニュー画面を構成する精算ボタンを操作する。これにより、管理サーバ２の制御部は、表示部に精算処理画面を表示させ、その精算処理画面を構成する利用者名、利用者人数、個室１２の部屋番号、鑑賞した映画に付与されている識別番号等を入力するためのテキストボックスに、それぞれ上記利用者の氏名、上記利用者人数、個室１２の部屋番号、映画の識別番号等を入力する。
【００３８】
これにより、管理サーバ２の制御部は、入力された氏名、利用者人数、個室１２の部屋番号、映画の識別番号、上記した利用終了時刻から上記した利用開始時刻を減算して得られた利用時間に基づいて、当該利用者に請求すべき料金を算出し、表示部に表示し、受付係が上記した精算処理画面を構成する上記した料金が支払われたこと示す精算キーが操作すると、一連の処理を終了する（ステップＳＡ９）。ここで、料金は、映画鑑賞料のみ（例えば、各映画タイトル別に設定されている）、個室１２の使用料のみ（使用時間による）、あるいは、上記映画鑑賞料と上記個室使用料とを加算したものであっても良い。
【００３９】
次に、個室クライアント４及び映画サーバ３の処理について図４に示すフローチャートを参照して説明する。なお、以下の説明において、個室クライアント４の操作部の操作には、付属しているリモコンの操作も含むものとする。受付１１で入室手続を済ませた利用者は、受付係から割り当てられた個室１２のキーでドア１３の鍵を開けて入室する。個室クライアント４の制御部は、表示部に表示しているメインメニュー画面を構成する映画リスト表示ボタンが操作されたか否かを判断する（ステップＳＢ２）。上記映画リスト表示ボタンが操作されない間（ステップＳＢ２の「Ｎ」）は、個室クライアント４の制御部は、同判断を繰り返す。
【００４０】
利用者が上記映画リスト表示ボタンを操作すると（ステップＳＢ１の「Ｙ」」、個室クライアント４の制御部は、ネットワーク１を介して映画サーバ３にアクセスし、映画サーバ３が現在保有する映画データに関する映画リストの配信を要求する（ステップＳＢ２）。映画リストの配信を要求された映画サーバ３の制御部は、記憶部に記憶されている映画リストを検索して当該個室クライアント４に配信する（ステップＳＢ３）。
【００４１】
映画リストが配信された個室クライアント４の制御部は、表示部に表示する（ステップＳＢ４）。上記したように、映画データがデータベース化されているので、表示部に表示される映画リストも、検索しやすいように構成されている。そこで、利用者は、個室クライアント４の操作部を操作して、自分が鑑賞したい映画を選択する。これにより、個室クライアント４の制御部は、ネットワーク１を介して映画サーバ３にアクセスし、選択された映画データの配信を要求する（ステップＳＢ５）。
【００４２】
映画データの配信を要求された映画サーバ３の制御部は、記憶部に記憶されている映画データを検索して当該個室クライアント４に配信した（ステップＳＢ６）後、一連の処理を終了する。映画データが配信された個室クライアント４の制御部は、その映画データを映画データ保存装置５に保存する（ステップＳＢ７）。次に、個室クライアント４の制御部は、利用者により当該映画データの再生が指示されたか、具体的には、操作部を構成する再生ボタンが押下されたか否かを判断する（ステップＳＢ８）。上記再生ボタンが操作されない間（ステップＳＢ８の「Ｎ」）は、個室クライアント４の制御部は、同判断を繰り返す。
【００４３】
そして、利用者が操作部を構成する操作ボタンを操作する（ステップＳＢ８の「Ｙ」）と、個室クライアント４の制御部は、映画データ保存装置５から映画データを読み出し、映像についてはディスプレイ６に表示するとともに、音響について音響装置７から放射させた（ステップＳＢ９）後、一連の処理を終了する。この映画再生処理では、利用者が操作部を適宜操作することにより、再生の一時停止、巻き戻し、早送り等の処理を行うものとする。以上説明した映画配信システム全体で使用されるプログラムが結合したプログラムを「映画配信プログラム」と称する。
【００４４】
このように、本発明の上述の実施の形態１によれば、複数の映画の映画データが映画サーバ３にデータベース化されているため、利用者は所望の映画を選択して所望の時間に、大画面で臨場感を感じて鑑賞することができる。また、個室１２が満室の場合には、予約しておき、空室ができると、メールでその旨が利用者が所持する携帯端末１０に送信されるので、利用者は、時間を有効に利用することができる。
【００４５】
実施の形態２．
上述した実施の形態１では、映画サーバ３が映画上映施設の受付１１に設置されている例を示したが、本発明はこれに限定するものではない。映画サーバ３は、映画上映施設とは異なる場所、例えば、複数の映画上映施設を運営する映画配給会社の管理センター等に設置されているとしても良い。
【００４６】
実施の形態３．
上述した実施の形態１では、映画データ保存装置５には、利用者によって選択された映画データのみが記憶される例を示したが、本発明はこれに限定するものではない。映画データ保存装置５には、複数の映画の映画データ、例えば、当該映画上映施設で利用率が高い映画の映画データを予め記憶しておいても良い。この場合には、利用者は、直ちに所望の映画を鑑賞することができるので、使い勝手が良い。
【００４７】
実施の形態４．
上述した実施の形態１では、映画サーバ３の記憶部に予め記憶されている映画を個室１２で鑑賞する例を示したが、本発明はこれに限定するものではない。例えば、利用者によってレンタルされたＤＶＤやビデオテープに記憶された映画やビデオクリップを個室１２で鑑賞することができるように構成しても良い。この場合、自宅では味わえない大画面、臨場感あふれるサウンドを少人数で味わうことができる。
【００４８】
実施の形態５．
上述した実施の形態１では、個室１２の予約を映画上映施設の受付１１で行う例を示したが、本発明はこれに限定するものではない。例えば、自宅等に所有するパーソナルコンピュータ（以下、「パソコン」と略す。）や上記した携帯端末１０により当該映画上映施設を運営する運営機関が開設するホームページにアクセスし、事前に予約できるように構成しても良い。あるいは、固定電話や携帯端末１０により、上記運営機関に電話をかけ、自動音声案内に従って、テンキー等を操作しながら事前に予約できるように構成しても良い。このような場合には、利用者は、映画上映施設に赴けば直ちに映画を鑑賞することができるので、時間を有効に利用することができる。上記パソコン、上記携帯端末１０、上記固定電話を総称して、「予約端末」と呼ぶことができる。なお、上述した実施の形態１における管理サーバ２は、受付係による操作部の操作に応じてステップＳＡ３の予約手続処理を行うので、この予約手続処理を行うことからみれば、「予約端末」と呼ぶことができる。
【００４９】
実施の形態６．
上述した実施の形態１では、料金は、個室１２の使用後に行う例を示したが、本発明はこれに限定するものではない。例えば、個室１２の予約時、個室１２の使用前に支払っても良い。また、料金は、現金に限らず、クレジットカード、デビットカード、少額決済対応ＩＣ内蔵の携帯端末を用いて支払うことができるように構成しても良い。さらに、映画の鑑賞時に、個室クライアント４の操作部を操作して、飲食物等を注文することができるように構成しても良い。
【００５０】
実施の形態７．
上述した実施の形態１では、管理サーバ２と映画サーバ３とを別個に構成する例を示したが、本発明はこれに限定するものではない。例えば、１台のサーバが管理サーバ２及び映画サーバ３の両方の機能を有するように構成しても良い。この場合、管理サーバ２及び映画サーバ３の両方の機能を有するサーバを映画配信サーバと呼ぶことができる。
【００５１】
実施の形態８．
上述した実施の形態１では、すべての映画データを映画サーバ３の記憶部に記憶する例を示したが、本発明はこれに限定するものではない。例えば、アクション、コメディー、ホラー、西部劇、時代劇、ミュージカル、ドキュメンタリー、アニメーション等のジャンルごとに別個の映画サーバを設け、それぞれの記憶部に対応した映画データを記憶するようにしても良い。この場合、個室１２の室数が多い大規模な映画上映施設において、１台の映画サーバ３へ多数の個室クライアント４からのアクセスが集中して、所望の映画データがなかなか配信されないという不都合を回避することができる。
【００５２】
以上、各実施の形態を図面を参照して詳述してきたが、具体的な構成は、これらの実施の形態に限定されるものではなく、本発明の要旨を逸脱しない範囲で種々の変形実施ができることは勿論である。例えば、上述した実施の形態１では、ディスプレイ６と音響装置７とを別個に構成する例を示したが、これに限定されず、ディスプレイと音響装置とが一体に構成された映画表示装置を用いても良く、さらに、大画面のテレビジョン受信機を流用しても良い。なお、別個に構成されたディスプレイ６と音響装置７とを組み合わせたものを映画表示装置と呼ぶこともできる。
【００５３】
また、上述した実施の形態１では、個室クライアント４とは別個に映画データ保存装置５を設ける例を示したが、これに限定されず、映画データ保存装置５を設けずに、映画サーバ３から配信された映画データを個室クライアント４の記憶部に記憶するように構成しても良い。
【図面の簡単な説明】
【００５４】
【図１】本発明の実施の形態１に係る映画配信システムの構成を示すブロック図である。
【図２】図１の映画配信システムが設置される映画上映施設の外観構成を示す概略図である。
【図３】図１の映画配信システムを構成する管理サーバ及び携帯端末の処理を説明するためのフローチャートである。
【図４】図１の映画配信システムを構成する個室クライアント及び映画サーバの処理を説明するためのフローチャートである。
【符号の説明】
【００５５】
１  ネットワーク
２  管理サーバ（映画配信サーバ）
３  映画サーバ（映画配信サーバ）
４  個室クライアント
５  映画データ保存装置
６  ディスプレイ（映画表示装置）
７  音響装置（映画表示装置）
８  基地局
９  アンテナ
１０  携帯端末（端末）
１１  受付
１２  個室
１３  ドア
【図１】
2006211184.tif 000003
【図２】
2006211184.tif 000004
【図３】
2006211184.tif 000005
【図４】
2006211184.tif 000006